(57)【要約】      （修正有）【課題】フレームの長手方向の任意位置に強固に固定できる太陽電池パネル支持金具を提供する。【解決手段】太陽電池パネル１１のフレーム１４の一部に固定されるパネル固定部３１が上端に備えられる太陽電池パネル支持金具１３において、パネル固定部３１に、フレーム１４の底面部に形成された張り出し片１５をのせる受け片３６と、一部を受け片の上に固定される固定部３３ａとし、他の一部を張り出し片１５にのせる挟圧部３３ｂとした押さえ部材３３と、押さえ部材の固定部３３ａを受け片３６に対して固定して挟圧部３３ｂと受け片３６で張り出し片１５を挟持させる締結具３８を備える。【選択図】図５
0003209602.tif 000002
【実用新案登録請求の範囲】
【請求項１】
太陽電池パネルのフレームの一部に固定されるパネル固定部が上端に備えられる太陽電池パネル支持金具であって、
前記パネル固定部が、前記フレームにおける底面部に形成された張り出し片をのせる受け片と、
一部を前記受け片の上に固定される固定部とし、他の一部を前記張り出し片にのせる挟圧部とした押さえ部材と、
前記押さえ部材の前記固定部を前記受け片に対して固定して前記挟圧部と前記受け片で前記張り出し片を挟持させる締結具を備えた
太陽電池パネル支持金具。
【請求項２】
前記押さえ部材が金属板で構成されるとともに、
前記押さえ部材の前記固定部と前記挟圧部の少なくともいずれか一方に、前記受け片に向けて屈曲する当接片が形成された
請求項１に記載の太陽電池パネル支持金具。
【請求項３】
前記受け片に、前記張り出し片と接触又は近接して前記張り出し片との間の位置関係を規制する規制片が備えられた
請求項１または請求項２に記載の太陽電池パネル支持金具。
【考案の詳細な説明】
【技術分野】
【０００１】
この考案は、たとえば屋上や陸屋根、地面などの場所に太陽電池パネルを設置するための支持金具における太陽電池パネルを固定する部分の構造に関する。
【背景技術】
【０００２】
太陽電池パネル支持金具としては、下記特許文献１に開示されたものがある。この支持金具は、上端部にパネル固定部を有しており、パネル固定部は、板状の固定部と、これに形成された貫通穴で構成されている。
【０００３】
太陽電池パネルの固定に際しては、太陽電池パネルのフレームにおける底面部の張り出し片に形成されている貫通穴を用いる。つまり張り出し片と固定部の貫通穴にボルトを挿入して固定する。
【０００４】
しかし、張り出し片の貫通穴は既存のものであり、位置が決まっているため、固定する支持金具同士の間隔が広すぎたり狭すぎたりして、太陽電池パネルの最適な設置が難しい場合があった。
【０００５】
固定に際して張り出し片の所望位置に穴を開けることも考えられるが、作業に手間がかかる上に、強度のうえで問題が生じうる可能性がある。
【０００６】
この点、下記特許文献２には、嵌合部を有した金具が開示されている。嵌合部は、フレームの上面から底面にわたる厚み方向の全体に嵌合するものであって、フレームの相対向する部位に位置して、フレームを全体的に挟むように保持する。嵌合部にはフレームに係止するフックが形成されているが、一つの嵌合部でフレームを強力に挟み込むものではなく、一対の嵌合部で挟むように固定するものであるので、個々の嵌合部位での固定強度は高くない。あくまでも、錘に固定された支持金具で挟んで固定する構造であるため、たとえば強風や衝突などで太陽電池パネルと錘との相対位置関係が崩れてしまい、不測のがたつきや位置ずれなどが生じるおそれがある。
【先行技術文献】
【特許文献】
【０００７】
【特許文献１】特開２０１６−８４６７１号公報
【特許文献２】特許第６０４０３０２号公報
【考案の概要】
【考案が解決しようとする課題】
【０００８】
この考案は、フレームの長手方向の任意位置に強固に固定できるようにすることを主な目的とする。
【課題を解決するための手段】
【０００９】
そのための手段は、太陽電池パネルのフレームの一部に固定されるパネル固定部が上端に備えられる太陽電池パネル支持金具であって、前記パネル固定部が、前記フレームにおける底面部に形成された張り出し片をのせる受け片と、一部を前記受け片の上に固定される固定部とし、他の一部を前記張り出し片にのせる挟圧部とした押さえ部材と、前記押さえ部材の前記固定部を前記受け片に対して固定して前記挟圧部と前記受け片で前記張り出し片を挟持させる締結具を備えた太陽電池パネル支持金具である。
【考案の効果】
【００１０】
この考案によれば、穴を用いずに張り出し片を挟み付けて固定するので、張り出し片の長手方向の任意位置に強固に固定することができる。
【図面の簡単な説明】
【００１１】
【図１】太陽電池パネルの設置状態の斜視図。
【図２】太陽電池パネルの設置状態の側面図。
【図３】太陽電池パネル支持金具の斜視図。
【図４】太陽電池パネル支持金具の斜視図。
【図５】パネル固定部の側面図。
【図６】複数枚の太陽電池パネルを設置した状態の斜視図。
【図７】複数枚の太陽電池パネルを設置した状態の斜視図。
【図８】他の例に係るパネル固定部の一部断面側面図。
【図９】他の例に係るパネル固定部の一部断面側面図。
【図１０】他の例に係るパネル固定部の一部断面側面図。
【図１１】他の例に係るパネル固定部の一部断面側面図。
【図１２】図１１に示した受け片の斜視図。
【考案を実施するための形態】
【００１２】
この考案を実施するための一形態を、以下図面を用いて説明する。
【００１３】
図１に、１枚の太陽電池パネル１１を設置した状態を示す。この図に示すように太陽電池パネル１１は、重錘体１２によって押さえつけられて固定された太陽電池パネル支持金具１３（以下、「支持金具」という）で支持される。
【００１４】
太陽電池パネルは、平面視長方形であり、全周にフレーム１４を有している。フレーム１４のうち長辺の底面部には、設置状態の側面図である図２にも示したように、外方へ向けて突出する板状の張り出し片１５が形成されている。張り出し片１５は水平に延びており、適宜幅に形成されている。なお、張り出し片１５には様々な態様がある。
【００１５】
支持金具１３は、太陽電池パネル１１が長辺を東西にのばして南側を下にして斜めに設置されるものであるため、下側（南側）の支持金具１３ａ（図３参照）と上側（北側）の支持金具１３ｂ（図４参照）の２種類を有するが、これの構成は高さが異なるだけで実質同一である。いずれの支持金具１３も、太陽電池パネル１１のフレーム１４の一部、すなわち張り出し片１５に固定されるパネル固定部３１が上端に形成されたものであり、本体部材３２と押さえ部材３３を有する。前述の「東」、「西」、「南」及び「北」は、厳密な意味での東西南北を意味するものではない。
【００１６】
本体部材３２は、太陽電池パネル１１が設置される設置面に接する接地片３４と、この接地片３４から上方へ起立して太陽電池パネル１１のフレーム１４に固定する前述のパネル固定部３１が上端部に備えられる起立片３５を有する。接地片３４は重錘体１２が載置される部分であり、起立片３５は真っ直ぐ上方にのびている。この本体部材３２は、帯状の金属板をプレスで折り曲げて製造されるものであり、全体が同一幅である。
【００１７】
ここで、重錘体１２について説明する。重錘体１２は、図１、図２に示したように、離間配置された一対の底面２１と、これら底面２１間に挟まれて底面２１よりも上に伸びる空間２２を有する構造である。重錘体１２の一対の底面２１は面一である。また、底面２１から上方の部分、つまり底面２１を有する部分は適宜厚さの板状である。
【００１８】
このような重錘体１２としては貫通した空間２２（空洞）を有する公知のコンクリートブロックを好適に使用できる。コンクリートブロックは、持ちやすい形状である上に、比較的軽量で、しかも安価である。この説明においては、重錘体１２としてコンクリートブロックを用いた例を示す。
【００１９】
本体部材３２の接地片３４は、重錘体１２のいずれか一方の底面２１を支える大きさである。起立片３５は、特に下側の支持金具１３ａにおいては重錘体１２の高さを考慮して太陽電池パネル１１が重錘体１２の陰にならないように適宜の長さに設定されている。起立片３５の上端は、一方側に、ここでは接地片を有する側と反対側に屈曲され、前述のパネル固定部３１を構成する受け片３６が形成されている。受け片３６の角度は、太陽電池パネル１１を傾ける角度に設定される。
【００２０】
接地片３４における起立片３５と反対側の部位であり、且つ接地片３４に載置される重錘体１２の一方の底面２１の空間２２側の位置に対応する部位には、立設片３７が形成されている。立設片３７は、真っ直ぐ上に延び、重錘体１２を載置したときに空間２２内に差し込まれる部分である。
【００２１】
パネル固定部３１は、フレーム１４の張り出し片１５をのせる前述の受け片３６と、前述の押さえ部材３３と、締結具３８で構成される。
【００２２】
受け片３６は板状であり、押さえ部材３３を固定するための貫通穴４１が適宜位置に形成されている。受け片３６の大きさは、フレーム１４の張り出し片１５を固定したときに、受け片３６の基部３６ａがフレーム１４よりも外側に出る大きさである。貫通穴４１は、張り出し片１５の大きさの違いに対応できるようにするため、長穴で構成してもよい。
【００２３】
受け片３６は、前述のように接地片３４と反対方向に形成されており、受け片３６の大きさがフレーム１４の張り出し片１５を固定したときに受け片３６の基部３６ａがフレーム１４より外側に出る大きさであるので、接地片３４を設置面に置いたときに、接地片３４は、平面視においてフレーム１４の外縁よりも外方に出ることになる。
【００２４】
押さえ部材３３は、金属板をプレスで折り曲げて製造されるものであり、一部を受け片３６の上に固定される固定部３３ａとし、他の一部を張り出し片１５にのせる挟圧部３３ｂとしている。この例では、固定部３３ａと挟圧部３３ｂは押さえ部材３３の両端部に形成されている。つまり、固定部３３ａは押さえ部材３３の一方の端部に、挟圧部３３ｂは押さえ部材３３の他方の端部に形成されており、押さえ部材３３は、固定部３３ａが受け片３６の基部３６ａ側に対応する向きにして固定される。
【００２５】
固定部３３ａと挟圧部３３ｂの両方には、受け片３６に向けて、つまり下に向けて屈曲する当接片４２，４３が形成されている。当接片４２，４３の長さは、固定部３３ａの当接片４２の方が挟圧部３３ｂの当接片４３の長さよりも若干長い。長さの差は張り出し片１５の厚さよりも若干短く設定する。これは、固定部３３ａの当接片４２が受け片３６に接したときに挟圧部３３ｂの当接片４３がフレーム１４の張り出し片１５を強力に挟むようにするためである（図５参照）が、たとえば同一の長さに設定したりするなど、長さは適宜設定できる。また、一方または双方の当接片４２，４３を省略したりすることもできる。
【００２６】
押さえ部材３３の固定部３３ａ側の部位には貫通穴４４が形成されている。この貫通穴４４も長穴で構成してもよい。
【００２７】
押さえ部材３３の大きさや貫通穴４４の位置、受け片３６の大きさとその貫通穴４１の位置は、張り出し片１５の大きさの違いに対応できるように余裕を持たせて設定される。特に、貫通穴４４の中心と当接片４３の間隔は、固定時に撓るような変形を可能とする長さに設定するとよい。
【００２８】
締結具３８は、押さえ部材３３の固定部３３ａを受け片３６に対して固定して挟圧部３３ｂと受け片３６で張り出し片１５を挟持させるものであり、ボルト３８ａとナット３８ｂで構成される。
【００２９】
以上のように構成された支持金具１３を用いて太陽電池パネル１１を設置する作業は次のように行う。
【００３０】
まず、太陽電池パネル１１を表裏反転したり立て掛けたりして、太陽電池パネル１１のフレーム１４における４隅の適宜位置に２種類の支持金具１３を、それぞれ図５に示したように締結具３８で固定する。つまり、設置時に傾斜下側となる部位には下側の支持金具１３ａを、傾斜上側となる部位には上側の支持金具１３ｂを２個ずつ固定する。使用する支持金具１３の個数や固定位置は、設置場所の予想される風力などの環境条件に応じて適宜設定される。図５では下側の支持金具１３ａを示しているが、上側の支持金具１３ｂでも、向きが逆になるだけで構成は同一である。
【００３１】
このあと、太陽電池パネル１１を反転するなどして、支持金具１３の接地片３４を設置面の所望位置に置く。すると太陽電池パネル１１は、太陽電池パネル１１を設置したときと同じ姿勢になる。
【００３２】
このように太陽電池パネル１１を支持金具１３ごと、所定の設置位置に置いてから、すべての支持金具１３を重錘体１２で押さえつけて位置固定する。使用する重錘体１２の個数や配置は、設置箇所の環境条件等に応じて適宜設定される。
【００３３】
重錘体１２は、貫通している空間２２が、重錘体１２を載置したときに立設片３７がのびる方向に貫通する向き、つまり、上下方向に向けた状態で置かれる。前述のように支持金具１３の接地片３４は太陽電池パネル１１の外縁よりも外方に位置するので、重錘体１２を置く作業は容易である。重錘体１２を置くときには、重錘体１２の一方の底面２１を有する部分を支持金具１３の起立片３５と立設片３７の間の凹部に対して嵌めて、その一方の底面２１を接地片３４の上にのせる。
【００３４】
図６は、６枚の太陽電池パネル１１をそれぞれ４個ずつの重錘体１２を用いて１列に３個ずつ並べて設置した例を示している。南北に平行に並ぶ２列の太陽電池パネル１１の重錘体１２は接触させる。図示は省略するが互いに接する重錘体１２同士は、たとえば公知のスチール製や樹脂製の結束バンドや針金、紐などの適宜の結束具で一体化してもよい。
【００３５】
図７は、同じく３枚の太陽電池パネル１１を１列に３個ずつ並べて設置した例であるが、この場合は、南北に並ぶ２列の太陽電池パネル１１間を１列に並べた重錘体１２で固定している。つまり、南北に隣接する２個の支持金具１３を１個の重錘体１２で固定して、これによって設置面積の有効利用とコスト低減を図っている。
【００３６】
以上のように太陽電池パネル１１は、フレーム１４の張り出し片１５に支持金具１３を固定してから太陽電池パネル１１を設置姿勢にして支持金具１３に重錘体１２を置くと設置が完了する。このため、太陽電池パネル１１を設置する作業が極めて簡易迅速に行える。
【００３７】
しかも、張り出し片１５に対する支持金具１３の固定は、押さえ部材３３で挟んで行うので、張り出し片１５の長手方向のどの位置にも固定できる。このため、重錘体１２の空間２２を利用しての太陽電池パネル１１の設置について、設置態様の自由度は高い。
【００３８】
また、締結具３８を緊結することによって強力な固定ができる。このため、支持金具１３の固定後に太陽電池パネル１１の向き変更をしても容易に位置ずれしたり外れたりしない強固な固定状態が得られる。
【００３９】
押さえ部材３３は屈曲形成された当接片４２，４３を有するので、それ自体強度が高い。この点からも、高い固定強度を得ることができる。
【００４０】
当接片４２，４３のうち挟圧部３３ｂに形成した当接片４３は、荷重を集中させて挟持を行うので強力な固定ができる上に、図５に例示したように、張り出し片１５の端に肉厚の縁部１５ａを有する場合でも確実に強力な固定ができるとともに、抜け止めもなされることになる。
【００４１】
さらに、フレーム１４に対する支持金具１３の固定は、フレーム１４における底面部の張り出し片１５に対して行うので、フレーム１４の厚さ方向の全体を挟む場合に比べてパネル固定部３１の大きさを小さくできるので、そのぶんコストの低減や太陽電池パネル１１を設置するときの占有面積の縮小化も図れる。
【００４２】
以下、その他の例について説明する。この説明において、前述の構成と同一の部位については同一の符号を付してその詳しい説明を省略する。
【００４３】
図８は、受け片３６に張り出し片１５と接触又は近接して張り出し片１５との間の位置関係を規制する規制片４５が備えられた例である。具体的には、受け片３６の上に重ねられる介装板４６を備え、この介装板４６の端に、上に曲がる規制片４５が形成されている。規制片４５は、受け片３６の上において張り出し片１５の内側の端に、内側から接触又は近接する。
【００４４】
規制片４５は、張り出し片１５との間の位置関係を規制するので、ボルト３８ａやナット３８ｂの回転に際しての共回りを阻止しできて、作業性がよい。また規制片４５は、押さえ部材３３による挟持時に張り出し片１５に係止するので、より強固な固定状態が得られる。このため、図８に示したように張り出し片１５を押さえる挟圧部３３ｂが入る隙間が狭くて挟圧部３３ｂに当接片４３が形成できなくても、強固な固定状態が得られる。
【００４５】
図９は、図８に示した規制片４５を受け片３６と別体ではなく、受け片３６に形成した例を示している。規制片４５は図示したようにＬ字形に曲がった形状であるほか、仮想線で示したように張り出し片１５の端を差し込めるＵ字形に折り返した形状であってもよい。
【００４６】
図１０は、フレーム１４の内側に突出している張り出し片１５に固定するパネル固定部３１の例を示している。このように受け片３６に固定される押さえ部材３３がフレーム１４の内側に位置すると、締結具３８の錆抑制ができる上に、締結具３８に対していたずらがなされることを抑制できる。さらに、フレーム１４と重錘体１２の間の距離を短くできるので、占有面積を小さくして、設置面積の有効利用をはかることが可能である。
【００４７】
図１１は、フレーム１４の内側と外側に突出する張り出し片１５の両側を利用して固定するパネル固定部３１の例を示している。具体的には、受け片３６の基部３６ａに、張り出し片１５の外側部分の端に接触又は近接する規制片４５が形成され、この規制片４５には張り出し片１５の上面に重なる覆い片４７が連設されている。規制片４５と覆い片４７は、図１２に示したように受け片３６の基部３６ａ側の一部を切り起こして形成するとよい。覆い片４７と受け片３６の間には、張り出し片１５を差し込み可能な隙間が形成される。押さえ部材３３は、張り出し片１５の内側部分を挟持する構成であり、規制片４５よりも受け片３６の先端側部分に固定される。
【００４８】
このような構成のパネル固定部３１では、規制片４５を有しているので、前述と同様に作業性がよく、その上より強固な固定状態が得られる。特に、規制片４５は覆い片４７を有するので、張り出し片１５を両側部分においてフレーム１４の分離を防止できるので、引張に対する強度が高い。
【符号の説明】
【００４９】
１１…太陽電池パネル
１３…太陽電池パネル支持金具
１４…フレーム
１５…張り出し片
３１…パネル固定部
３３…押さえ部材
３３ａ…固定部
３３ｂ…挟圧部
３６…受け片
３８…締結具
４２，４３…当接片
４５…規制片
【図１】
0003209602.tif 000003
【図２】
0003209602.tif 000004
【図３】
0003209602.tif 000005
【図４】
0003209602.tif 000006
【図５】
0003209602.tif 000007
【図６】
0003209602.tif 000008
【図７】
0003209602.tif 000009
【図８】
0003209602.tif 000010
【図９】
0003209602.tif 000011
【図１０】
0003209602.tif 000012
【図１１】
0003209602.tif 000013
【図１２】
0003209602.tif 000014